(57)【要約】【課題】  誤検出が起りにくい開閉検出構造を備えた携帯端末を提供する。【解決手段】  携帯端末１０は、ケース２と、回路基板１４と、表示装置２０と、スイッチ１２を備えている。回路基板１４は、ケース２内に配置されている。表示装置２０は、回路基板１４に取り付けられているとともに、ケース２の外部に露出する。スイッチ１２は、回路基板１４と表示装置２０の間に配置されている。スイッチ１２は、回路基板１４と表示装置２０の相対的位置に応じてスイッチングする構成を有している。【選択図】図１
2013156900.tif 000002
【特許請求の範囲】
【請求項１】
ケースと、
ケース内に配置されている回路基板と、
回路基板に取り付けられているとともに、ケースの外部に露出する表示装置と、
回路基板と表示装置の間に配置されているスイッチと、を備えており、
スイッチは、回路基板と表示装置の相対的位置に応じてスイッチングする構成を有していることを特徴とする携帯端末。
【請求項２】
表示装置が締結部材によってケースに固定されており、
回路基板が表示装置とケースに挟まれて固定されていることを特徴とする請求項１に記載の携帯端末。
【請求項３】
演算処理装置と記憶装置をさらに備えており、
演算処理装置と記憶装置が、回路基板の表示装置側の表面に実装されていることを特徴とする請求項１又は２に記載の携帯端末。
【請求項４】
スイッチが、回路基板の前記表面であって演算処理装置及び記憶装置の少なくも一方の隣の位置に実装されていることを特徴とする請求項３に記載の携帯端末。
【請求項５】
表示装置を平面視したときに、スイッチが、表示装置の端部に配置されていることを特徴とする請求項１〜４のいずれか一項に記載の携帯端末。
【発明の詳細な説明】
【技術分野】
【０００１】
本明細書は、携帯端末に関する技術を開示する。
【背景技術】
【０００２】
機器内部の改造，データの不正取得等を防止するために、機器内部に機器の開閉を検出する構造が設けられることがある。特許文献１には、分割可能なケースを利用した開閉検出構造が開示されている。特許文献１では、ケースの一方（裏面側ケース）に回路基板を固定し、他方（表面側ケース）に導線を固定する。回路基板には、分断された導体が設けられている。ケースが閉じているときは、表面側ケースに固定されている導線は、分断された導体同士を導通させる。ケースが開封されると、導線と導体が非接触となり、分断された導体同士が非導通になる。特許文献１では、導体が導通しているか否かを検出することにより、機器の開閉を検出する。機器が開封されていることが検出されると、例えばメモリ内の情報を消去する。
【先行技術文献】
【特許文献】
【０００３】
【特許文献１】特開２００４−８６３２５号公報
【発明の概要】
【発明が解決しようとする課題】
【０００４】
特許文献１の開閉検出構造は、ケースに衝撃が加わると、導線と導体が非接触となり、機器が開封されていないにも関わらず機器の開封を検出することがある。携帯端末の場合、使用中に落下してケースに衝撃が加わることが多い。そのため、特許文献１の開閉検出構造を携帯端末に適用すると、誤検出が起りやすくなる。例えば、機器の開封によってメモリ内の情報を消去する場合においては、落下による誤検出によってメモリ内の情報が意図せず消去されてしまう等問題があった。本明細書では、誤検出が起りにくい開閉検出構造を備えた携帯端末を提供する。
【課題を解決するための手段】
【０００５】
本明細書が開示する携帯端末は、ケースと、回路基板と、表示装置と、スイッチを備えている。回路基板は、ケース内に配置されている。表示装置は、回路基板に取り付けられているとともに、ケースの外部に露出している。スイッチは、回路基板と表示装置の間に配置されている。本明細書が開示する携帯端末では、スイッチは、回路基板と表示装置の相対的位置に応じてスイッチングする構成を有している。
【０００６】
携帯端末が落下した場合、通常はケースの角部が床面に衝突する。そのため、携帯端末が落下しても、衝撃が表示装置に直接加わることはない。したがって、携帯端末が落下しても、表示装置と回路基板の相対的な位置は変化しにくい。上記の携帯端末は、表示装置と回路基板の間にスイッチを配置するので、携帯端末が落下しても、スイッチが誤動作しにくい。なお、「スイッチ」は、２個の部品の相対的な位置変化に応じてスイッチングするものであれば、あらゆる種類のものを使用することができる。
【０００７】
本明細書で開示する携帯端末では、表示装置が、締結部材によってケースに固定されていてもよい。この場合、回路基板が、表示装置とケースに挟まれて固定されていることが好ましい。
【０００８】
上記の携帯端末では、表示装置とケースによって、回路基板の両面が覆われる。そのため、回路基板の改造等の不正行為を行いにくくすることができる。また、回路基板は、表示装置とケースで挟まれているだけで、表示装置に直接固定されていない。そのため、締結部材を緩めるだけで、表示装置と回路基板との相対的な位置が変化し、表示装置と回路基板の間に配置されているスイッチが動作し得る。表示装置とケースの固定を解除するたけでスイッチが動作し得れば、不正行為を行おうとする初期段階でスイッチが動作し、不正行為がより行われにくくなる。
【０００９】
本明細書で開示する携帯端末は、演算処理装置と記憶装置をさらに備えていてもよい。この場合、演算処理装置と記憶装置は、回路基板の表示装置側の表面に実装されていることが好ましい。この形態によれば、例えばケースに穴を開けて回路基板を露出させても、演算処理装置と記憶装置は露出しない。したがって、演算処理装置と記憶装置に対する不正行為が行われにくくなる。
【００１０】
演算処理装置と記憶装置を備える場合、スイッチが、回路基板の表面であって演算処理装置及び記憶装置の少なくも一方の隣の位置に実装されていることが好ましい。不正行為は、重要な部品である演算処理装置や記憶装置に対して行われることが多い。そのため、演算処理装置又は記憶装置に対して不正行為を行う場合、少なくとも演算処理装置又は記憶装置が配置されている近傍の表示基板が持ち上げられることが必要である。スイッチが、演算処理装置及び記憶装置の少なくも一方の隣に位置していれば、演算処理装置及び記憶装置が露出する前に、確実にスイッチが動作する。この形態によれば、重要な部品である演算処理装置や記憶装置に対する不正行為を確実に検出することができる。
【００１１】
本明細書で開示する携帯端末では、表示装置を平面視したときに、スイッチが、表示装置の端部に配置されていることが好ましい。表示装置は、板状の形態を有することが多い。そのため、表示装置を持ち上げる場合、表示装置の中央ではなく、表示装置の端部から持ち上げる。この形態によれば、スイッチを表示装置の中央に配置する形態に比べ、表示装置を取り外すときに、スイッチと表示装置との接触箇所が非接触になりやすい。したがって、表示装置を僅かに持ち上げただけでスイッチが動作するので、不正行為をより早い段階で検出することができる。
【図面の簡単な説明】
【００１２】
【図１】携帯端末の外観を示す。
【図２】携帯端末の分解図を示す。
【図３】表示装置と回路基板とケースの締結方法を説明する概略図を示す。
【図４】表示装置がケースに固定されているときの、表示装置と回路基板とスイッチの状態を示す。
【図５】表示装置の裏面を示す。
【図６】表示装置の裏面を模式的に示す。
【図７】回路基板の表面を模式的に示す。
【発明を実施するための形態】
【実施例】
【００１３】
図１は、携帯端末１０の外観を示している。携帯端末１０は、情報コード（例えば、バーコードや２次元コード）を読み取るための光学情報読取装置である。携帯端末１０はＬＣＤ４を備えており、ＬＣＤ４は、ケース２の外部に露出している。ケース２の内部には、回路基板が配置されている。詳細は後述するが、ＬＣＤ４と回路基板は、ケース２に固定されている。
【００１４】
図２は、ＬＣＤ４，回路基板１４及びケース２の分解図を示している。図２に示すように、ＬＣＤ４は、ホルダ８に取り付けられる。ＬＣＤ４とホルダ８によって表示装置２０が構成されている。ホルダ８は、表示装置２０の一部と捉えることができる。ホルダ８と回路基板１４の間にスイッチ１２を介在させた状態で、表示装置２０（ホルダ８）と回路基板１４とケース２が、ねじ６によって固定される。ねじ６は、締結部材の一例である。詳細は後述するが、演算処理装置１７と記憶装置１５が、回路基板１４の表面（回路基板１４の表示装置２０側表面）に実装されている。回路基板１４の裏面（回路基板１４のケース２側表面）には、演算処理装置と記憶装置は実装されていない。
【００１５】
図３に示すように、表示装置２０には貫通孔２０ａが形成されており、回路基板１４には貫通孔１４ａが形成されている。また、ケース２にはねじ穴２ａが形成されている。ねじ６は、貫通孔２０ａと１４ａを通過して、ケース２のねじ穴２ａに締め付けられている。表示装置２０と回路基板１４は直接固定されていない。回路基板１４は、表示装置２０をケース２にねじ留めした結果、表示装置２０とケース２に挟まれて固定されているだけである。そのため、ねじ６を緩めると、表示装置２０と回路基板１４の間に緩みが生じる。
【００１６】
図４は、表示装置２０がケース２にねじ留めされているときの、表示装置２０と回路基板１４とスイッチ１２の状態を示す。なお、図４では、ケース２の図示を省略している。図４に示すように、スイッチ１２は、回路基板１４の表面（回路基板１４の表示装置２０側表面）に実装されている。スイッチ１２は、タクトスイッチである。スイッチ１２は、表示装置２０の裏面（表示装置２０の回路基板１４側表面）に接している。スイッチ１２は、表示装置２０によって押されてオン状態にある。ねじ６（図３を参照）を緩めると、表示装置２０と回路基板１４の間に緩みが生じ、スイッチ１２がオフ状態に変化する。すなわち、ねじ６を緩めると、スイッチ１２がオンからオフにスイッチングする。携帯端末１０では、スイッチ１２によって、表示装置２０と回路基板１４の相対的な位置の変化を検出する。不正行為を行う目的で表示装置２０を回路基板１４から取り外すと、スイッチ１２が動作し、携帯端末１０に対して不正行為が行われようとしていることを検出する。
【００１７】
図５〜図７を参照し、スイッチ１２が配置されている位置を詳細に説明する。図５は、携帯端末１０から回路基板１４を取り外した図を示している。図５には、表示装置２０の裏面が現れている。スイッチ１２は、破線２２で示している表示装置２０の端部２２に配置される。スイッチ１２は、ねじ６を通過させるための貫通孔２０ａ（図３を参照）の近傍に配置されているということもできる。
【００１８】
ここで、図６を参照し、表示装置２０の端部２２について説明する。図６は、表示装置２０の裏面を模式的に示している。表示装置２０の端部２２とは、隣り合う２つの角部２４の距離を３等分する直線２６によって表示装置２０の裏面を９個の領域に分割したときに、角部２４を含む４個の領域のことをいう。なお、スイッチ１２は、端部２２のいずれの位置に配置してもよい。あるいは、複数のスイッチ１２を、複数の端部２２に配置してもよい。
【００１９】
図７は、回路基板１４の表面を模式的に示している。回路基板１４の表面には、演算処理装置１７，記憶装置１５及び他の装置１９等が実装されている。スイッチ１２は、演算処理装置１７の隣に配置されている。また、スイッチ１２は、回路基板１４の端部に配置されている。回路基板１４の端部の定義は、表示装置２０の端部の定義に等しい。なお、スイッチ１２は、記憶装置１５の隣に配置してもよい。
【００２０】
携帯端末１０の特徴を説明する。図１に示すように、携帯端末１０では、表示装置２０が、ケース２に囲まれている。そのため、携帯端末１０が落下した場合、ケース２が床面に衝突しやすく、表示装置２０が床面に直接衝突することが抑制される。衝撃が表示装置２０に直接加わりにくいので、表示装置２０と回路基板１４の相対的な位置が変化しにくい。上記したように、スイッチ１２は、表示装置２０の裏面と回路基板１４の表面の間に挟まれている。表示装置２０と回路基板１４の相対的な位置変化が抑制されているので、スイッチ１２の誤動作が抑制されている。
【００２１】
また、表示装置２０がケース２に締結されており、回路基板１４が表示装置２０とケース２に挟まれて固定されている。表示装置２０と回路基板１４が直接固定されていないので、表示装置２０とケース２を締結しているねじ６を緩めるだけで、表示装置２０と回路基板１４の位置が変化し、スイッチ１２が動作する。回路基板１４の表面が露出する前にスイッチ１２が動作するので、不正行為を初期段階で検出することができる。
【００２２】
回路基板１４の表面を露出させる場合、少なくとも表示装置２０と回路基板１４の間に隙間が生じるように、表示装置２０を持ち上げることが必要である。一般的に、表示装置２０は端部から持ち上げられる。携帯端末１０では、スイッチ１２が表示装置２０の端部２２に配置されているので、表示装置２０を僅かに持ち上げるだけでスイッチ１２が動作する。回路基板１４の表面が十分に露出する前に、不正行為を検出することができる。
【００２３】
上記したように、スイッチ１２が、演算処理装置１７（又は記憶装置１５）の隣に配置されている。なお、「隣に配置されている」とは、演算処理装置１７とスイッチ１２の間の回路基板１４上に、他の部品や素子が実装されていないことを意味する。したがって、演算処理装置１７（又は記憶装置１５）が露出する前に確実にスイッチ１２が動作する。重要部品に対する不正行為を確実に検出することができる。
【００２４】
演算処理装置１７と記憶装置１５が回路基板１４の表面に実装されており、回路基板１４の裏面に実装されていないので、ケース２に穴を開けても、演算処理装置１７と記憶装置１５は露出しない。そのため、演算処理装置１７と記憶装置１５を露出させるためには、ねじ６を外し、表示装置２０を取り外す他ない。すなわち、このような形態によれば、ケース２に穴を開けて演算処理装置１７と記憶装置１５を露出させる行為を防止することができる。
【００２５】
上記実施例では、携帯端末の例として、情報コードを読み取るための光学情報読取装置について説明した。光学情報読取装置の具体例として、バーコードリーダ、２次元コードリーダ等が挙げられる。なお、本明細書に開示する技術は、携帯電話等の通信端末に適用することもできる。
【００２６】
上記実施例では、締結部材の例として、ねじについて説明した。締結部材の他の例として、例えばボルトとナットを使用することもできる。
【００２７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項に記載の組合せに限定されるものではない。また、本明細書または図面に例示した技術は複数の目的を同時に達成し得るものであり、そのうちの一つの目的を達成すること自体で技術的有用性を持つものである。
【符号の説明】
【００２８】
２：ケース
６：締結部材
１０：携帯端末
１２：スイッチ
１４：回路基板
１５：記憶装置
１７：演算処理装置
２０：表示装置
【図１】
2013156900.tif 000003
【図２】
2013156900.tif 000004
【図３】
2013156900.tif 000005
【図４】
2013156900.tif 000006
【図５】
2013156900.tif 000007
【図６】
2013156900.tif 000008
【図７】
2013156900.tif 000009